(57)【要約】【課題】ゴミの量を低減し衛生的であって漏出防止性に優れ、簡便な継合を実現する腹膜透析液バッグを提供すること。【解決手段】  透析液を充填した薬液バッグ１０１と、薬液バッグ１０１から延伸したチューブであって中途で分岐し、一端には雄コネクタ１２１を他端には雄コネクタ１２１と液密に継合する雌コネクタ１２２を設けたチューブ１０２と、薬液バッグ１０１からト形連結管１２６までのチューブ部分に挿通したクランプ１０３と、を備えたことを特徴とする腹膜透析液バッグ１００。【選択図】図１
2010227167.tif 000002
【特許請求の範囲】
【請求項１】
透析液を充填した薬液バッグと、
薬液バッグから延伸したチューブであって中途で分岐し、一端には雄コネクタを他端には当該雄コネクタと液密に継合する雌コネクタを設けたチューブと、
薬液バッグから分岐点までのチューブ部分に装着したチューブ開閉具と、
を備えたことを特徴とする腹膜透析液バッグ。
【請求項２】
雌コネクタにセプタムを設けて雄コネクタと液密に継合させることを特徴とする請求項１に記載の腹膜透析液バッグ。
【請求項３】
前記雄コネクタから前記分岐点までのチューブ部分および／または前記雌コネクタから前記分岐点までのチューブ部分にチューブ開閉具を備えたことを特徴とする請求項１に記載の腹膜透析液バッグ。
【請求項４】
前記雄コネクタから前記分岐点までのチューブ長を前記雌コネクタから前記分岐点までのチューブ長よりも短くし、前記薬液バッグから前記分岐点までのチューブ長を前記雌コネクタから前記分岐点までのチューブ長より長くしたことを特徴とする請求項１、２または３に記載の腹膜透析液バッグ。
【請求項５】
チューブを雄コネクタ近傍で、雄コネクタからみて先に広がるようにト形に分岐させたことを特徴とする請求項１〜４のいずれか一つに記載の腹膜透析液バッグ。
【請求項６】
透析液を充填した薬液バッグと、
薬液バッグから延伸したチューブであって中途で分岐し、一端には雄コネクタを他端には当該雄コネクタと液密に継合する雌コネクタを設けたチューブと、
薬液バッグから分岐点までのチューブ部分に装着したチューブ開閉具と、
を備えた第１の腹膜透析液バッグと、
第１の腹膜透析液バッグと同形であって薬液バッグが空である第２の腹膜透析液バッグと、を、
透析の際には、第１の腹膜透析液バッグの雄コネクタと雌コネクタをそれぞれ腹腔カテーテル端部と第２の腹膜透析液バッグの雄コネクタに継合して、腹腔排液は腹腔から第２の腹膜透析液バッグの薬液バッグへ、薬液は第１の腹膜透析液バッグの薬液バッグから腹腔へ、それぞれ一経路のみが確立された通液を可能とし、
透析後には、各腹膜透析液バッグを分離して雄コネクタと雌コネクタを継合して無端経路を構築可能としたことを特徴とする腹膜透析液バッグセット。
【請求項７】
第２の腹膜透析液バッグを前回使用した第１の腹膜透析液バッグとしたことを特徴とする請求項６に記載の腹膜透析液バッグセット。
【発明の詳細な説明】
【技術分野】
【０００１】
本発明は、腹膜透析液バッグに関し、特に、ゴミの量を減らすことが可能な腹膜透析液バッグに関する。
【背景技術】
【０００２】
従来、腹膜透析液バッグとして図８に示すものがあった。これは、薬液バッグと排液バッグとがチューブによりＹ接続し、先端を患者の腹腔カテーテルへ接続するものであって、バッグから分岐点までの間にそれぞれクランプを設けた構成のものである。薬液バッグには透析液が封入され、排液バッグは空となっている。
【０００３】
使用に際しては、腹腔カテーテルと腹膜透析液バッグとを接続し、排液バッグ側のクランプを開放し薬液バッグ側のクランプは閉鎖した状態として腹腔排液を排液バッグへ排出し、次いで排液バッグ側のクランプを閉鎖し薬液バッグ側のクランプを開放して透析液を腹腔へ送入する。
【０００４】
使用後は、両方のクランプを閉じ、適宜便所等でクランプを開放して排液を流し捨てる。その後は、家庭ゴミとして腹膜透析液バッグを廃棄する。また、定期検診時には腹腔排液を入れたまま病院まで持参する。
【０００５】
このような腹膜透析液バッグは、特開昭６１−１８５２７５号公報（特許文献１）にも開示されており、これにより、カテーテルとバッグの接続操作を別個の２つのバッグを用いる場合に比して低減される。
【０００６】
また、特開平５−２６９２０２号公報（特許文献２）に開示される腹膜透析用器具は、排液収用バッグを別構成として、分離可能にする技術が開示され、これにより、排液廃棄やサンプリングを簡便に行えるようになっている。
【０００７】
しかしながら、従来の技術では以下の問題点があった。
腹膜透析は、一日に４回から５回必要であり、また、バッグの大きさも、たとえば、１５００ｍｌのバッグであれば、４０ｃｍ×２５ｃｍ程の大きさであって嵩張るため、特許文献１に開示されるような２バッグがセットとなった腹膜透析液バッグはゴミの量が多くなりすぎるという問題点があった。
【０００８】
これは、特許文献２でも同じであり、排液バッグが分離できるとしても、持ち運びが便利となるだけであって、ゴミの量としては変わらない。しかも、いずれの場合も、新品の排液バッグを用いるため、不経済であるという問題点があった。
【０００９】
なお、特許文献２では、排液バッグを再利用するのであればゴミの量は半減するが、次第に不衛生となってくるという別の問題点が生じてくる。
【００１０】
また、いずれの場合も、腹腔カテーテルに接続する部分が使用後には遊んでしまうため、クランプが外れた場合には液が漏れてしまい、この点でも不衛生となるという問題点があった。特に、病院で腹腔排液の検査があるときは、持ち運びの際、振動等によりクランプが外れ、液漏れが生じ周囲が汚れるという問題点もあった。
【先行技術文献】
【特許文献】
【００１１】
【特許文献１】特開昭６１−１８５２７５号公報
【特許文献２】特開平５−２６９２０２号公報
【発明の概要】
【発明が解決しようとする課題】
【００１２】
すなわち、解決しようとする問題点であり本発明の目的は、ゴミの量を低減し衛生的であって漏出防止性に優れ、簡便な継合を実現する腹膜透析液バッグを提供する点にある。
【課題を解決するための手段】
【００１３】
上記の問題を解決するために、請求項１に記載の腹膜透析液バッグは、透析液を充填した薬液バッグと、薬液バッグから延伸したチューブであって中途で分岐し、一端には雄コネクタを他端には当該雄コネクタと液密に継合する雌コネクタを設けたチューブと、薬液バッグから分岐点までのチューブ部分に装着したチューブ開閉具と、を備えたことを最も主要な特徴とする。
【００１４】
すなわち、請求項１に係る発明は、前回使用した空バッグを排液バッグとして継合しゴミの量を半減可能とすると共に、つなぎ替えなしに腹腔排液を排出して薬液を送入でき、また、使用後にはそれぞれの雄雌コネクタを短絡して漏れなく衛生的に排液を持ち運びでき、また、短絡時には端部を外気に触れさせることなく、空バッグとして保管可能となる。なお、腹腔排液を収容したバッグは、チューブを閉止して雄雌コネクタも短絡することにより、漏出が二重に防止されることとなる。また、注排液の際だけでなく、バッグをつなぎ合わせれば、注液を行う場合のみ或いは排液を行う場合のみでも、薬液や腹腔排液の容量を任意に変更可能となるため、用途が広がり利便性が向上する。
【００１５】
なお、雄コネクタと雌コネクタとは相補的に液密に継合するものであれば特に限定されず、適宜螺合用の溝が設けられた例を挙げることができる。チューブ開閉具も特に限定されない。たとえば、チューブに挿通するクランプを挙げることができる。この場合、適宜係止爪を備え、チューブを遮断するときにはこの係止爪を利用し、チューブを開放するときには係止爪の弾性力を利用して開放するようにすれば、片手でワンタッチの開閉が可能となる。なお、チューブ開閉具をチューブに挿通させる場合は散逸せず作業の確実性が確保される。
【００１６】
また、請求項２に記載の腹膜透析液バッグは、請求項１に記載の腹膜透析液バッグにおいて、雌コネクタにセプタムを設けて雄コネクタと液密に継合させることを主要な特徴とする。
【００１７】
すなわち、請求項２に係る発明は、従来は腹膜透析液バッグには用いられていなかったセプタムを転用することにより、液密な継合を簡便に実現する。セプタムは、スリット入りの混注用ゴム弁機構であり、突体がスリットに進入する場合以外は液密に閉じているため、液体が漏出することがなく、また、雄雌コネクタが外れたとしても雌コネクタ側からは液漏れは生じなくすることができる。
【００１８】
また、請求項３に記載の腹膜透析液バッグは、請求項１に記載の腹膜透析液バッグにおいて、前記雄コネクタから前記分岐点までのチューブ部分および／または前記雌コネクタから前記分岐点までのチューブ部分にチューブ開閉具を備えたことを特徴とする。
【００１９】
すなわち、請求項３に係る発明は、流路（注入／排出）選択および封止を行い、流路の切替えを行うことが可能となる。ここで、両方にチューブ開閉具を設けた場合は液漏れの確実性が更に向上する。また、片方の場合には、開閉に手間取らず簡便な操作を実現する。
【００２０】
また、請求項４に記載の腹膜透析液バッグは、請求項１、２または３に記載の腹膜透析液バッグにおいて、前記雄コネクタから前記分岐点までのチューブ長を前記雌コネクタから前記分岐点までのチューブ長よりも短くし、前記薬液バッグから前記分岐点までのチューブ長を前記雌コネクタから前記分岐点までのチューブ長より長くしたことを主要な特徴とする。
【００２１】
すなわち、請求項４に係る発明は、腹腔カテーテルに接続される雄コネクタ側のチューブ部分の長さを短くすることができ、薬液バッグ側のチューブ部分に装着されたチューブ開閉具の開閉操作を患者が楽に行うことができる。また、雌コネクタ側のチューブ部分をある程度長くして排液が終了した際の排液バッグの雄雌短絡接合を容易にする。更に、雌コネクタ側のチューブ部分より薬液バッグ側のチューブ分が長いため、チューブ長さがそれぞれ異なり、取り違えをなくして操作性が向上する。
【００２２】
また、請求項５に記載の腹膜透析液バッグは、請求項１〜４のいずれか一つに記載の腹膜透析液バッグにおいて、チューブを雄コネクタ近傍で、雄コネクタからみて先に広がるようにト形に分岐させたことを主要な特徴とする。
【００２３】
すなわち、請求項５に係る発明は、分岐を非対称として雄コネクタを峻別可能とし、かつ、分岐部分も含めてまとめて握りこむことができ、継合作業を容易化する。なお、ト形は、Ｙ形を含むものとする。
【００２４】
また、請求項６に記載の腹膜透析液バッグセットは、透析液を充填した薬液バッグと、薬液バッグから延伸したチューブであって中途で分岐し、一端には雄コネクタを他端には当該雄コネクタと液密に継合する雌コネクタを設けたチューブと、薬液バッグから分岐点までのチューブ部分に装着したチューブ開閉具と、を備えた第１の腹膜透析液バッグと、第１の腹膜透析液バッグと同形であって薬液バッグが空である第２の腹膜透析液バッグと、を、透析の際には、第１の腹膜透析液バッグの雄コネクタと雌コネクタをそれぞれ腹腔カテーテル端部と第２の腹膜透析液バッグの雄コネクタに継合して、腹腔排液は腹腔から第２の腹膜透析液バッグの薬液バッグへ、薬液は第１の腹膜透析液バッグの薬液バッグから腹腔へ、それぞれ一経路のみが確立された通液を可能とし、透析後には、各腹膜透析液バッグを分離して雄コネクタと雌コネクタを継合して無端経路を構築可能としたことを最も主要な特徴とする。
【００２５】
すなわち、請求項６に係る発明は、前回使用した空バッグを第２の腹膜透析液バッグとして継合しゴミの量を半減可能とすると共に、つなぎ替えなしに腹腔排液を排出して薬液を送入でき、また、使用後にはそれぞれの雄雌コネクタを短絡して漏れなく衛生的に排液を持ち運びでき、また、短絡時には端部を外気に触れさせることなく、空バッグとして保管可能となる。ここで、腹腔排液を腹腔から第２の腹膜透析液バッグへ排出する際には第１の腹膜透析液バッグのチューブ開閉具を閉めて第２の腹膜透析液バッグのチューブ開閉具を開ければ実質的な直通経路が確立され、薬液を第１の腹腔透析バッグから腹腔へ送入する際には、第１の腹膜透析液バッグのチューブ開閉具を開ければ実質的な直通経路が確立される。このとき、第２の腹膜透析液バッグはチューブ開閉具を閉めればよく、また、セプタムを設けているときには第２の腹膜透析液バッグを事前に分離していてもよい。なお、腹腔排液を収容したバッグは、チューブを閉止して雄雌コネクタも短絡することにより、漏出が二重に防止されることとなる。また、バッグをつなぎ合わせれば、薬液や腹腔排液の容量を任意に変更可能となる。
【００２６】
ここで、同形とは、同様の構成であることを意味し、コネクタの液密な継合が可能であればチューブの長さや薬液バッグの容量は異なっていても同形に含まれるものとする。また、一経路のみが確立されるとは、経路が分岐してそれぞれに通液が可能となることがないことを意味する。
【００２７】
なお、請求項６に係る発明については、請求項２〜５に記載した構成を当然に備えるものであってもよい。すなわち、雌コネクタにセプタムを設けて雄コネクタと液密に継合させる構成としてもよいし、雄コネクタから分岐点までのチューブ部分および／または雌コネクタから分岐点までのチューブ部分にチューブ開閉具を備えてもよい。また、雄コネクタから分岐点までのチューブ長を雌コネクタから分岐点までのチューブ長よりも短くし、薬液バッグから分岐点までのチューブ長を雌コネクタから分岐点までのチューブ長より長くしてもよい。更には、チューブを雄コネクタ近傍で、雄コネクタからみて先に広がるようにト形に分岐させた構成としてもよい。場合によっては、溶着チューブで液密に継合させる構成としてもよい。
【００２８】
また、請求項７に記載の腹膜透析液バッグは、請求項４に記載の腹膜透析液バッグセットにおいて、第２の腹膜透析液バッグを前回使用した第１の腹膜透析液バッグとしたことを主要な特徴とする。
【００２９】
すなわち、請求項７に係る発明は、ゴミの量を半減させる。
【発明の効果】
【００３０】
本発明によれば、ゴミの量を低減し衛生的であって漏出防止性に優れ、簡便な継合を実現する腹膜透析液バッグを提供可能となる。
より具体的には、本発明（請求項１）によれば、前回使用した空バッグを排液バッグとして継合しゴミの量を半減可能とすると共に、つなぎ替えなしに腹腔排液を排出して薬液を送入できるので、腹腔への感染や汚染を抑止可能となる。また、使用後にはそれぞれの雄雌コネクタを短絡して漏れなく衛生的に排液を持ち運びでき、また、短絡時は端部を外気に触れさせることなく空バッグとして保管可能となる。また、本発明（請求項２）によれば、従来は腹膜透析液バッグには用いられていなかったセプタムを転用することにより、液密な継合を簡便に実現する。
【００３１】
また、本発明（請求項３）によれば、流路（注入／排出）選択および封止を行い、流路の切替えを行うことが可能となる。また、本発明（請求項４）によれば、腹腔カテーテルに接続される雄コネクタ側のチューブ部分の長さを短くすることができ、薬液バッグ側のチューブ部分に装着されたチューブ開閉具の開閉操作を患者が楽に行うことができるまた、本発明（請求項５）によれば、分岐を非対称として雄コネクタを峻別可能とし、かつ、分岐部分も含めてまとめて握りこむことができ、継合作業を容易化する。
【００３２】
また、本発明（請求項６）によれば、前回使用した空バッグを第２の腹膜透析液バッグとして継合しゴミの量を半減可能とすると共に、つなぎ替えなしに腹腔排液を排出して薬液を送入できるので、前述の感染等を抑止できる。また、使用後にはそれぞれの雄雌コネクタを短絡して漏れなく衛生的に排液を持ち運びでき、また、端部を外気に触れさせることなく空バッグとして保管可能となる。また、本発明（請求項７）によれば、ゴミの量を半減させる。
【図面の簡単な説明】
【００３３】
【図１】本発明の腹膜透析液バッグの外観構成図である。
【図２】雄コネクタの概要図である。このうち、（ａ）は側面図、（ｂ）は平面図、（ｃ）はリングキャップの側面図である。
【図３】雌コネクタの概要図である。このうち、（ａ）は側面図、（ｂ）は平面図、（ｃ）は凸キャップの側面図である。
【図４】クランプの概要図である。このうち、（ａ）は外観斜視図、（ｂ）はチューブを閉鎖したときの側面図である。
【図５】腹膜透析液バッグを二つつないだ腹膜透析液バッグセットを用いた腹膜透析の説明図である。
【図６】他の態様の腹膜透析液バッグであってチューブ部分を中心としたクランプ装着の様子を示した説明図である。
【図７】複数の薬液バッグを接合した使用状態を説明する図である。
【図８】従来の２バッグを備えた腹膜透析液バッグの構成例を示した図である。
【発明を実施するための形態】
【００３４】
以下、本発明の実施の形態を図面を参照しながら詳細に説明する。
図１は、本発明の腹膜透析液バッグの外観構成図である。図２は、雄コネクタの概要図、図３は、雌コネクタの概要図、図４は、クランプの概要図である。
【００３５】
腹膜透析液バッグ１００は、薬液バッグ１０１と、チューブ１０２と、クランプ１０３と、により構成される。次に各部を説明する。
【００３６】
薬液バッグ１０１は、透析液を充填したポリプロピレン製のバッグである。本実施の形態における容積は１５００ｍｌであるが、５００ｍｌ、１０００ｍｌ、２０００ｍｌ、２５００ｍｌ、３０００ｍｌ、５０００ｍｌのものであってもよい。１５００ｍｌの容量であると、縦横の大きさは、約４０ｃｍ×２５ｃｍである。薬液はクリップ１１１で大室液（９６０ｍｌ）と小室液（５４０ｍｌ）に分断され、使用時にクリップ１１１を取り除き、二室を交互に手のひらで押して液を混合する。なお、クリップ１１１に替えて弱シールである薬液バッグであ場合もあり、このときは、弱シールを取り除いて使用する。
【００３７】
これらの薬液は、充填チューブ１１２ａ（小室液）、１１２ｂ（大室液）を介してそれぞれ充填され、熱処理や栓止めして封止される。透析時には適宜、架け孔１１３を用いて薬液バッグ１０１をある程度高い位置につるす。このとき、混合された薬液は、封着口１１４で一体的に封着されたバッグ側チューブ端１２７から、重力に従って腹腔へ送入される。
【００３８】
チューブ１０２は、ポリプロピレンと水添スチレン-ポリエチレン-ブタジエン共重合体とのブレンドで、封着口１１４から延伸し、中途で二つに分岐する。その一端には雄コネクタ１２１を備え、他端には雄コネクタ１２１と液密に継合する雌コネクタ１２２を備える。分岐は、雄コネクタ１２１の近傍およそ８ｃｍのところにあり、雄コネクタ１２１側からみた場合に先に広がるように、ト形連結管１２６を介して接合されている。このように左右非対称に分岐していると、雄コネクタ１２１と雌コネクタ１２２を峻別でき、操作性を高める。また、分岐点が雄コネクタ１２１の近傍にあるので、雄コネクタ１２１とト形連結管１２６を一緒に握りこめる。これにより、雌コネクタ１２２をもう片方の手で捕まえやすくなり、この点からも操作性が高まる。
【００３９】
未使用の状態では、雄コネクタ１２１にはリングキャップ１２４が、雌コネクタ１２２には凸キャップ１２５がそれぞれはめ込まれている。一方を指が差し込めるリング形状とし、他方を一般的なキャップ形状として、先端形状を異ならせているため、この点からも、いずれが雄コネクタ１２１であるかを峻別可能としている。
【００４０】
なお、チューブ１０２の長さは限定されないが、たとえば、バッグ側チューブ端１２７からト形連結管１２６までは７０ｃｍ、ト形連結管１２６から雄コネクタ１２１までは８ｃｍ、ト形連結管１２６から雌コネクタ１２２までは５０ｃｍとすることができる。このように、雄コネクタ側チューブ長＜雌コネクタ側チューブ長＜薬液バッグ側チューブ長とすると、視認性が向上し、また、患者による操作性を高めることが可能となる。
【００４１】
腹膜透析液バッグ１００の特徴として雄コネクタ１２１と雌コネクタ１２２が相補的に継合する点を挙げることができる。図２に示したように、雄コネクタ１２１は、セプタム１５５に侵入する凸管部１４１と、雌コネクタ１２２と螺合して密に継合するための螺合凸１４２と、チューブ１０２を差し込む差込口１４３と、を有する。リングキャップ１２４には、凸管部１４１を内包させる筒体１４４と、螺合凸１４２を介して雄コネクタ１２１に係合させる螺合溝１４５が設けられている。筒体１４４および雄コネクタ１２１の筐体により、凸管部１４１が外気から二重に遮断され衛生的に保管可能となる。また、螺合溝１４５は、左右対称に溝が切られており、リングキャップ１２４を右回りでも左回りでも雄コネクタ１２１から離脱できるようにしている。離脱に際しては、人差指をリング１４６に差し入れいずれかに回転させるか、リング１４６を引っ張って、リングキャップ１２４を抜去する。
【００４２】
雌コネクタ１２２は、図３に示したように、先端をスリットＳとしたセプタム１５５を有し、雄コネクタ１２１の凸管部１４１を液密に継合する。継合に際しては、雄コネクタ１２１を右回りにねじり入れると、螺合凸１５１と螺合溝１５２により雄コネクタ１２１の螺合凸１４２が案内され、継合穴１５３により雄コネクタ１２１が係止される。雌コネクタ１２２は、また、チューブ１０２を差し込む差込口１５７を有する。凸キャップ１２５は、内部に突条１５６を有し、雌コネクタ１２２の突条１５４を超えてはまりこみ、凸キャップ１２５を安定的に雌コネクタ１２２に取り付ける。これにより衛生的に保管を実現する。なお、凸キャップ１２５とリングキャップ１２４とは、突条１５６と突条１４７により相互に接合可能な構成ともなっている。
【００４３】
雄コネクタ１２１と雌コネクタ１２２は、ポリプロピレン製であり、リングキャップ１２４と、凸キャップ１２５も同じく、ポリプロピレン製であるが、これに限定されず、たとえばポリカーボネート製、ポリアセタール製とすることもできる。
【００４４】
クランプ１０３は、図４に示したように、一部が開放したくさび形であり、チューブ１０２を挿通する通し孔１３１および通し孔１３２を設け、挿通されたチューブ１０２を、圧止部１３３および１３４により通液遮断する構成となっている。通し孔１３１および１３２にチューブ１０２を通すため、クランプ１０３が散逸せず、利便性を高めている。なお、クランプ１０３に限定されず、チューブ１０２を開閉できれば他の機構を用いても良い。
【００４５】
圧止部１３３および１３４は、押下部１３５を押下して、その先端をかえしが形成された爪部１３６に係止させて固定する。開放の際は、爪部１３６を押してやれば、全体の弾性力により外れるようになっている。クランプ１０３は以上のような構成により片手で圧止や開放を可能としている。
【００４６】
次に、腹膜透析液バッグ１００を二つつないだ腹膜透析液バッグセットを用いた腹膜透析について説明する。図５は、腹膜透析液バッグ１００を二つつないだ腹膜透析液バッグセットを用いた腹膜透析の説明図である。なお、ここでは、薬液バッグ１０１の容量はいずれも１５００ｍｌであるものとする。
【００４７】
なお、本実施の形態では、患者の腹腔からは腹腔カテーテルが延伸し、その端部には雌コネクタ１２２と同一のコネクタ（以降ではこれを適宜コネクタＣと表記する。）が形成されているものとする。このコネクタＣは透析時以外では凸キャップ１２５と同一のキャップ（これを適宜キャップＫと表記する。）が接合され、セプタムが衛生的に保護される。
【００４８】
腹膜透析液バッグセット２００は、薬液の入った新品の第１の腹膜透析液バッグ１００Ａと前回の腹膜透析で用いた空の第２の腹膜透析液バッグ１００Ｂを接続したものである（以降では、説明の便宜上、第１の腹膜透析液バッグ１００Ａに属する各部の符号末尾にはＡを、第２の腹膜透析液バッグ１００Ｂに属する各部の符号末尾にはＢを付加する）。
【００４９】
使用に際しては、まず、クランプ１０３Ａとクランプ１０３Ｂとが閉じていることを確認し、第１の腹膜透析液バッグ１００Ａの雄コネクタ１２１Ａと雌コネクタ１２２Ａをそれぞれ、コネクタＣと第２の腹膜透析液バッグ１００Ｂの雄コネクタ１２１Ｂに継合する（図５（ａ））。次に、第２の腹膜透析液バッグ１００Ｂのクランプ１０３Ｂを開放し、腹腔排液を第２の腹膜透析液バッグ１００Ｂの薬液バッグ１０１Ｂ排出する（図５（ｂ）参照）。
【００５０】
次に、第２の腹膜透析液バッグ１００Ｂのクランプ１０３Ｂを閉止し、第１の腹膜透析液バッグ１００Ａのクランプ１０３Ａを開放し、腹腔内へ透析液を送入する（図５（ｃ））。
【００５１】
最後に、第１の腹膜透析液バッグ１００Ａのクランプ１０３Ａを閉じ、各接合を外し、第１の腹膜透析液バッグ１００Ａの雄コネクタ１２１Ａと雌コネクタ１２２Ａを継合し、第２の腹膜透析液バッグ１００Ｂの雄コネクタ１２１Ｂと雌コネクタ１２２Ｂを継合する（図５（ｄ））。
【００５２】
第１の腹膜透析液バッグ１００Ａは、次回の第２の腹膜透析液バッグ１００Ｂとして保管する。また、腹腔排液が充填された第２の腹膜透析液バッグ１００Ｂは、適宜、便所等で雄コネクタ１２１Ｂと雌コネクタ１２２Ｂを外し、クランプ１０３Ｂを開き、雄コネクタ１２１Ｂから腹腔排液を廃棄する。空になった腹膜透析液バッグ１００Ｂは、家庭ゴミとして処理する。
【００５３】
以上のように、腹膜透析液バッグ１００は、使用後に排液バッグとして再利用できるので新品の薬液バッグと新品の排液バッグが接合された特許文献１に掲げるような従来の２バッグ製品に比してゴミが半減するという利点がある。また、クランプ閉止と雄雌コネクタの短絡による二重閉鎖により、特に、腹腔排液の移送時の漏れが生じず、衛生さを向上させている。リングキャップ１２４や凸キャップ１２５を紛失した場合であっても、雄コネクタ１２１および雌コネクタ１２２を外気に曝露させなくて済むのでこの点からも利便性を向上させている。
【００５４】
使用の態様によっては、各端部を消毒した後短絡若しくは、キャップ留めするようにしても良い。
【００５５】
また、雌コネクタ１２２にセプタムを設けず、ト形連結管１２６と雌コネクタ１２２間のチューブ１０２部分、ト形連結管１２６と雄コネクタ１２１間のチューブ１０２部分のそれぞれに、または、片方（雌コネクタ１２２側が好ましい）に、クランプを設けるようにしても良い。図６は、他の態様の腹膜透析液バッグであってチューブ部分を中心としたクランプ装着の様子を示した説明図である。ここでは、雄コネクタ１２１側と雌コネクタ１２２側の両方にスライド式のクランプ１０３’を装着し、雄コネクタ１２１側はチューブを閉止し、雌コネクタ１２２側はチューブを開放した状態を示している。
【産業上の利用可能性】
【００５６】
上記の実施の形態では、薬液バッグの容量は１５００ｍｌのもの同士を結合したが、これに限らず、未使用の薬液バッグについても、使用済みの薬液バッグについても、適宜接合して、薬液量や排液量を変更するようにしてもよい。たとえば、図７（ａ）に示したように、注入液として、複数の新しい薬液バッグを連結して、容器（バッグ）の規定量を超える腹膜透析液を患者に注入することもできるし、図７（ｂ）に示したように、排液用として、複数の使用済み薬液バッグを連結して、規定量を超える腹腔貯留液を収容することもできる（図では片方は既に腹腔貯留液が排出された状態を示している）。
【符号の説明】
【００５７】
１００、１００Ａ、１００Ｂ   腹膜透析液バッグ
１０１、１０１Ｂ        薬液バッグ
１０２  チューブ
１０３、１０３Ａ、１０３Ｂ、１０３’          クランプ
１１１  クリップ
１１２ａ、１１２ｂ     充填チューブ
１１３  架け孔
１１４  封着口
１２１、１２１Ａ、１２１Ｂ   雄コネクタ
１２２、１２２Ａ、１２２Ｂ   雌コネクタ
１２４  リングキャップ
１２５  凸キャップ
１２６  ト形連結管
１２７  バッグ側チューブ端
１３１、１３２           通し孔
１３３、１３４           圧止部
１３５  押下部
１３６  爪部
１４１  凸管部
１４２  螺合凸
１４３  差込口
１４４  筒体
１４５  螺合溝
１４６  リング
１４７  突条
１５１  螺合凸
１５２  螺合溝
１５３  継合穴
１５４  突条
１５５  セプタム
１５７  差込口
１５６  突条
２００  腹膜透析液バッグセット
Ｃ        コネクタ（腹腔側）
Ｋ        キャップ（腹腔側）
Ｓ        スリット
【図１】
2010227167.tif 000003
【図２】
2010227167.tif 000004
【図３】
2010227167.tif 000005
【図４】
2010227167.tif 000006
【図５】
2010227167.tif 000007
【図６】
2010227167.tif 000008
【図７】
2010227167.tif 000009
【図８】
2010227167.tif 000010